(57)【特許請求の範囲】
【請求項１】
収納部を有し、ヒンジ用突起が形成された容器本体と、
上記ヒンジ用突起にヒンジピンを介して回転自在に連結されるヒンジブロックを有し、上記容器本体を開閉すべく回動される蓋体と、
該蓋体と上記容器本体との間に設けられ、これらを係脱自在に係止して該蓋体で該容器本体を閉止する係止手段と、
化粧料を内部に収容する中皿及び該中皿を開閉すべくこれに蝶番を介して連結された中蓋を有し、該中皿が上記収納部に取り外し可能に固定されて、上記容器本体に着脱されるレフィル容器と、
上記中蓋と上記中皿との間に設けられ、これらを係脱自在に係合して該中蓋で該中皿を閉止する係合手段と、
上記容器本体に設けられ、上記中蓋との間に隙間を形成する突起部と、
上記容器本体内に上記隙間へ向かって進退自在に設けられたスライドピースと、
上記容器本体内部で上記スライドピースの移動を案内するために、該容器本体内に立ち上げて形成されて該スライドピースの一側面が摺接する第１ガイド片及び該容器本体内に垂下して一対形成されて該スライドピースの左右両側面が摺接する第２ガイド片と、
該スライドピースに形成された撓み変形可能な可撓部と、
該スライドピースに上記可撓部を介して、上記中蓋が位置する上方へ向かって揺動自在に連結され、該スライドピースの前進により楔作用で上記隙間へ進入し、該可撓部により上記突起部で上方へ向かって向きを変えるように揺動されて上記中蓋を押圧し押し上げて、上記係合手段を離脱する押圧部と、
上記ヒンジブロックに形成され、上記蓋体の開放操作で回転されて、上記スライドピースを前進方向へ押圧するカム部と、
該カム部に面して上記容器本体を貫通して形成された貫通孔にスライド自在に配置される上記スライドピースが該貫通孔から抜脱されるのを防止するために、該容器本体に形成されたストッパと、
前記容器本体に一対で形成され、互いに向かい合う一対の壁片で構成された反力受け部と、
前記スライドピースに、その左右両側面それぞれから側方へ一対で、弾性変形可能に延出して一体的に形成され、それら延出端それぞれを一対の上記壁片で挟んで上記反力受け部に支持されて、上記蓋体の開放操作に伴う該スライドピースの前進によって弾性変形されると共に、該蓋体の閉止操作過程で該スライドピースを後退方向へ弾発付勢する板バネ部とを備えたことを特徴とするコンパクト容器。
【発明の詳細な説明】
【技術分野】
【０００１】
本発明は、気密性が要求されるレフィル容器の中皿に対する中蓋の係合を、蓋体の開放操作を利用して解除するようにしたコンパクト容器を対象として、蓋体を軽い操作感で円滑に開閉することが可能であると共に、異音が発生することもなく、また耐久性を向上することも可能なコンパクト容器に関する。
【背景技術】
【０００２】
蓋体の開放機能を担うフックピースに、直接的、あるいは間接的に中蓋の予備開放機能も併せ持たせる方式の化粧料容器は、多数知られている。それらは、蓋体と中蓋の両方を開放するだけの押圧操作力をフックピースにかけなければならない。特に、気密性が要求される場合、高い気密性を保持する中蓋と中皿の係合は強くなりがちであり、指に負荷がかかって、中蓋を開け辛いという課題がある。
【０００３】
これに対し、中皿に中蓋を係合して、高い気密性を保って閉止するようにしたレフィル容器を、蓋体で開閉される容器本体内に収納するようにし、中蓋の係合状態を、蓋体の開放操作を利用して解除するようにしたコンパクト容器として、特許文献１が知られている。すなわち、蓋体を開放するフックピースを兼用しないで、蓋体を開放する動作以外の特別な操作なしに、中蓋と中皿の係合を解除する方式である。
【０００４】
特許文献１の「化粧料容器」は、収納部を有する容器本体と、容器本体に蝶番を介して回動自在に連結され当該容器本体を開閉する蓋体と、容器本体と蓋体とを互いに係脱自在に係止して容器本体を閉止するフック手段と、化粧料を収納する中皿および当該中皿を開閉すべくこれにヒンジを介して連結された中蓋を有し、収納部に収納されるレフィル容器と、中皿と中蓋とを互いに係脱自在に係合して中皿を閉止する閉止手段と、中蓋に一体的に形成された突部と、蓋体にコイルバネを介して突部に向かってスライド自在に設けられ、蓋体の閉止操作過程で突部に当接されつつこれを乗り越えて係合し、かつ蓋体の開放操作過程で突部を押し上げて閉止手段を離脱させるスライドピースとを備えて構成されている。
【０００５】
類似する技術として、特許文献２及び３も知られている。これらはいずれも、蓋体の蝶番部に設置され、梃子の原理で中蓋を持ち上げる突起物によって中蓋と中皿の係合を外すため、フックピースで兼用する場合に比べて、開け辛さを感じることなく、より少ない力で蓋体を開ける動作と共に、中蓋を開放することができる。
【先行技術文献】
【特許文献】
【０００６】
【特許文献１】特開２００５−９５４７５号公報
【特許文献２】特開２００５−９５４７６号公報
【特許文献３】特許第４２１２４３３号公報
【発明の概要】
【発明が解決しようとする課題】
【０００７】
しかしながら、特許文献２及び３では、蓋体の蝶番部に設けた突起物は、蓋体を開けるときだけでなく、閉じるときにも中蓋に接触し、これを乗り越えて、元の位置に戻る。そのため、突起物が中蓋を乗り越える際に、異音が発生する課題がある。また、突起物が中蓋を乗り越えることを繰り返していくうちに、合成樹脂製の中蓋及び突起物がそれらの接触箇所でヘタリを生じ、それらの掛かり具合が徐々に減少し、やがて、蓋体を開ける際に、突起物が中蓋に十分に引っ掛からず、中蓋を開けることができなくなるおそれもある。
【０００８】
また、特許文献１では、蓋体の開放操作過程で、蓋体の回動力をそのままスライドピースに伝達して当該スライドピースで中蓋の突部を押し上げ、この押し上げで閉止手段の係合を解除するようにしているため、係合解除動作のために蓋体を開放する操作が重くなり、蓋体の円滑な開放操作性に劣るという課題があった。
【０００９】
また、蓋体の閉止操作過程では、スライドピースがコイルバネにより突部に当接しつつこれを乗り越えていくため、当接段階で摩擦が発生し、蓋体を閉止するときも操作が重く、蓋体のスムーズな閉止操作性に劣るという課題があった。
【００１０】
本発明は上記従来の課題に鑑みて創案されたものであって、気密性が要求されるレフィル容器の中皿に対する中蓋の係合を、蓋体の開放操作を利用して解除するようにしたコンパクト容器を対象として、蓋体を軽い操作感で円滑に開閉することが可能であると共に、異音が発生することもなく、また耐久性を向上することも可能なコンパクト容器を提供することを目的とする。
【課題を解決するための手段】
【００１１】
本発明にかかるコンパクト容器は、収納部を有し、ヒンジ用突起が形成された容器本体と、上記ヒンジ用突起にヒンジピンを介して回転自在に連結されるヒンジブロックを有し、上記容器本体を開閉すべく回動される蓋体と、該蓋体と上記容器本体との間に設けられ、これらを係脱自在に係止して該蓋体で該容器本体を閉止する係止手段と、化粧料を内部に収容する中皿及び該中皿を開閉すべくこれに蝶番を介して連結された中蓋を有し、該中皿が上記収納部に取り外し可能に固定されて、上記容器本体に着脱されるレフィル容器と、上記中蓋と上記中皿との間に設けられ、これらを係脱自在に係合して該中蓋で該中皿を閉止する係合手段と、上記容器本体に設けられ、上記中蓋との間に隙間を形成する突起部と、上記容器本体内に上記隙間へ向かって進退自在に設けられたスライドピースと、上記容器本体内部で上記スライドピースの移動を案内するために、該容器本体内に立ち上げて形成されて該スライドピースの一側面が摺接する第１ガイド片及び該容器本体内に垂下して一対形成されて該スライドピースの左右両側面が摺接する第２ガイド片と、該スライドピースに形成された撓み変形可能な可撓部と、該スライドピースに上記可撓部を介して、上記中蓋が位置する上方へ向かって揺動自在に連結され、該スライドピースの前進により楔作用で上記隙間へ進入し、該可撓部により上記突起部で上方へ向かって向きを変えるように揺動されて上記中蓋を押圧し押し上げて、上記係合手段を離脱する押圧部と、上記ヒンジブロックに形成され、上記蓋体の開放操作で回転されて、上記スライドピースを前進方向へ押圧するカム部と、該カム部に面して上記容器本体を貫通して形成された貫通孔にスライド自在に配置される上記スライドピースが該貫通孔から抜脱されるのを防止するために、該容器本体に形成されたストッパと、前記容器本体に一対で形成され、互いに向かい合う一対の壁片で構成された反力受け部と、前記スライドピースに、その左右両側面それぞれから側方へ一対で、弾性変形可能に延出して一体的に形成され、それら延出端それぞれを一対の上記壁片で挟んで上記反力受け部に支持されて、上記蓋体の開放操作に伴う該スライドピースの前進によって弾性変形されると共に、該蓋体の閉止操作過程で該スライドピースを後退方向へ弾発付勢する板バネ部とを備えたことを特徴とする。
【発明の効果】
【００１２】
本発明にかかるコンパクト容器にあっては、気密性が要求されるレフィル容器の中皿に対する中蓋の係合を、蓋体の開放操作を利用して解除するようにしたコンパクト容器を対象として、蓋体を軽い操作感で円滑に開閉することができると共に、異音が発生することもなく、また耐久性を向上することができる。容器本体に形成されてスライドピースの一側面が摺接する第１ガイド片と、容器本体に一対形成されてスライドピースの左右両側面が摺接する第２ガイド片とにより、容器本体内部で隙間へ向かうスライドピースのスライド移動を案内することができる。容器本体に形成したストッパにより、カム部に面して容器本体を貫通して形成された貫通孔にスライド自在に配置されるスライドピースが貫通孔から抜脱されるのを防止することができる。容器本体に一対で形成され、互いに向かい合う一対の壁片によって、スライドピースの左右両側面それぞれから側方へ一対で、弾性変形可能に延出して一体的に形成された板バネ部の延出端それぞれを挟んで支持することにより、板バネ部を、蓋体の開放操作に伴うスライドピースの前進によって弾性変形できると共に、蓋体の閉止操作過程でスライドピースを後退方向へ弾発付勢することができる。
【図面の簡単な説明】
【００１３】
【図１】本発明に係るコンパクト容器の好適な一実施形態を示す斜視図である。
【図２】図１に示したコンパクト容器の要部拡大側断面図である。
【図３】図１に示したコンパクト容器の要部拡大平面図である。
【発明を実施するための形態】
【００１４】
以下に、本発明にかかるコンパクト容器の好適な一実施形態を、添付図面を参照して詳細に説明する。図１〜図３に示すように、本実施形態にかかるコンパクト容器１は主に、容器本体２と、容器本体２を開閉する蓋体３と、中皿４および中蓋５を有して、容器本体２内に収納されるレフィル容器６とを備えて構成される。
【００１５】
容器本体２は合成樹脂製で、皿状の器体７と、器体７に被せて取り付けられる皿枠８とから構成される。器体７は、底部７ａと周壁部７ｂとを有する。皿枠８は、器体７の周壁部７ｂ上に重ね合わされる板部８ａと、左右に二つの広口開口部を形成するために、板部８ａから器体７の底部７ａへ垂下される環状壁部８ｂとを有する。器体７内方には、二つの広口開口部で区画して、レフィル容器６を収納する第１収納部９と、パフ等の化粧具を収納する第２収納部１０が形成される。器体７には、周壁部７ｂ後端から後方へ突出させて、ヒンジ用突起１１が左右一対形成される。
【００１６】
蓋体３は合成樹脂製で、ヒンジ用突起１１の形成位置に対応する後端部には、これらヒンジ用突起１１間に挟み込むようにして、ヒンジブロック１２が形成される。ヒンジブロック１２には、各ヒンジ用突起１１を貫通するヒンジピン１３が挿入され、このヒンジピン１３を介して、ヒンジブロック１２はヒンジ用突起１１に回転自在に連結される。これにより、鏡１４が取り付けられた蓋体３は、容器本体２にこれを開閉すべく回動自在に取り付けられる。
【００１７】
蓋体３と容器本体２との間には、これらを係脱自在に係止して蓋体３で容器本体２を閉止する係止手段１５が設けられる。本実施形態にあっては、係止手段１５は、蓋体３の前端部に設けられたフック１５ａと、器体７の周壁部７ｂ前端に設けられ、フック１５ａが係脱自在に係止される係止突起１５ｂとから構成され、フック１５ａが係止突起１５ｂに係脱することで、蓋体３は容器本体２を閉じたり、開放したりするようになっている。
【００１８】
レフィル容器６は合成樹脂製で、中皿４はその内部に、揮発性などの気密性が要求される化粧料を収容する。中皿４には、上端開口縁部に蝶番１６を介して中蓋５が連結され、中蓋５は蝶番１６を回動支点として回動されて、中皿４を開閉する。中皿４と第１収納部９を形成する環状壁部８ｂとの間には、中皿４を嵌脱自在に嵌合する嵌合機構（図示せず）が設けられ、この嵌脱機構により、中皿４が第１収納部９に取り外し可能に固定されることで、レフィル容器６は、容器本体２に着脱自在に取り付けられる。
【００１９】
中蓋５と中皿４との間には、これらを係脱自在に係合して中蓋５で中皿４を気密状態で閉止する係合手段１７が設けられる。本実施形態にあっては、係合手段１７は、中蓋５に、蝶番１６とは反対側に位置にさせて設けられた係合フック１７ａと、中皿４に、係合フック１７ａ位置に対応させて設けられ、係合フック１７ａが係脱自在に係合される係合突起１７ｂとから構成され、係合フック１７ａが係合突起１７ｂに係脱することで、中蓋５は中皿４を閉じたり、開放したりするようになっている。
【００２０】
容器本体２の皿枠８には、これを上下に貫通する挿通孔１８が第１収納部９に隣接して形成されると共に、中蓋５には、これより垂下させて、当該中蓋５で中皿４を閉止しているときに挿通孔１８に挿通される突片１９が形成される。中蓋５の上面には適宜箇所に、容器本体２を蓋体３で閉止するときに、蓋体３の鏡１４に当接されて中蓋５を中皿４へ向かって押圧し、係合手段１７を係合させる凸部２０が形成される。
【００２１】
容器本体２の器体７には、挿通孔１８内に位置した突片１９直下に、底部７ａから一体的に立ち上げて突起部２１が形成され、この突起部２１は中蓋５の当該突片１９との間に隙間Ｚを形成する。
【００２２】
容器本体２内には、器体７の底部７ａ上をスライドして、隙間Ｚへ向かって前進・後退自在に合成樹脂製のスライドピース２２が設けられる。スライドピース２２は、器体７の底部７ａから立ち上げて形成され、スライドピース２２の一側面が摺接する第１ガイド片２３と、皿枠８の板部８ａから垂下して一対形成され、スライドピース２２の左右両側面が摺接する第２ガイド片２４とにより、容器本体２内部で隙間Ｚへ向かうスライド移動が案内される。
【００２３】
スライドピース２２の前進方向前端部には、薄肉に形成されて撓み変形可能な可撓部２５を介して、押圧部２６が一体的に連結形成される。押圧部２６は、可撓部２５により、スライドピース２２がスライドする器体７の底部７ａに対し、中蓋５の突片１９が位置する上方へ向かって揺動自在となっている。押圧部２６は本実施形態にあっては、スライドピース２２の前進方向前端が先細りとなる矢じり形状で形成される。
【００２４】
押圧部２６は、スライドピース２２の前進により、中蓋５の突片１９と容器本体２の突起部２１との間の隙間Ｚに進入し、その矢じり形状による楔作用で突起部２１に対し突片１９を押圧し、これにより、第１収納部９に固定されている中皿４に対し、中蓋５を押し上げて係合手段１７を離脱させるようになっている。
【００２５】
蓋体３のヒンジブロック１２には、その左右方向中央に位置させて、蓋体３の開放操作に伴う当該ヒンジブロック１２の回転によってスライドピース２２を前進方向へ押圧するカム部２７が形成される。器体７の周壁部７ｂ後端には、これを貫通してカム部２７に面する貫通孔２８が形成され、この貫通孔２８にスライドピース２２の後端がスライド可能に配置される。また、貫通孔２８近傍には、皿枠８の板部８ａから垂下して、スライドピース２２が貫通孔２８から抜脱されるのを防止するストッパ２９が形成される。
【００２６】
カム部２７は、スライドピース２２の後端に面し、蓋体３で容器本体２を閉止しているときには、スライドピース２２の後端と当接もしくは僅かな間隙を隔てると共に、蓋体３を開放していく過程で、スライドピース２２の後端を押圧してスライドピース２２を前進方向へ押圧し、蓋体３が１８０°まで回動し切って、ヒンジブロック１２が器体７の周壁部７ｂ後端に当接する位置で、スライドピース２２を最大前進位置で保持するカムプロフィールに形成される。
【００２７】
このカムプロフィールに従ってスライドピース２２が前進すると、押圧部２６が隙間Ｚに進入し、これにより中蓋５が押圧されて、係合手段１７が離脱される。蓋体３の開放操作のいずれかの段階で係合手段１７を離脱させることができる限り、カム部２７のカムプロフィールは、適宜に設定すればよい。
【００２８】
スライドピース２２には、付勢手段として、左右両側面それぞれから側方へ延出して、弾性変形可能な一対の板バネ部３０が一体的に形成される。容器本体２には、一対の板バネ部３０をそれぞれ支持する反力受け部３１が一対形成される。各反力受け部３１は、板バネ部３０の延出端を挟んで支持するために、容器本体２の器体７の底部７ａ及び皿枠８の板部８ａから互いに向かい合うように突設された一対の壁片３１ａ，３１ｂで構成される。
【００２９】
板バネ部３０は、前進するスライドピース２２によって弾性変形されると共に、カム部２７によるスライドピース２２の前進作用が喪失される蓋体３の閉止操作過程で、一対の壁片３１ａ，３１ｂに反力をとってスライドピース２２を後退方向へ弾発付勢し、この弾発付勢でスライドピース２２をカム部２７に当接して、スライドピース２２を確動するようになっている。板バネ部３０でスライドピース２２を弾発付勢することにより、カム部２７による前進時にあっても、スライドピース２２を確動するようになっている。
【００３０】
板バネ部３０は、図示例にあっては、突起部２１側に迫り出すアーチ状に形成されているけれども、カム部２７へスライドピース２２の後端を当接させることができれば、カム部２７側へ迫り出すアーチ状に形成してもよいことはもちろんである。
【００３１】
次に、本実施形態に係るコンパクト容器１の作用について説明する。コンパクト容器１は、第１収納部９にレフィル容器６を収納した状態で使用される。レフィル容器６は、中蓋５が係合手段１７で中皿４に係合していて、レフィル容器６の気密状態が保持されている。
【００３２】
化粧操作などのために容器本体２を開放する際には、手指で蓋体３を押し上げて、係止手段１５を離脱する。係止手段１５を離脱すると、蓋体３を開放操作することができる。蓋体３を回動して開放操作していくと、ヒンジブロック１２の回転と共に、カム部２７も回転する。蓋体３の開き度合いが大きくなっていく過程で、カム部２７は、蓋体３の開き度合いに応じて、貫通孔２８に位置しているスライドピース２２の後端を相当の前進量で前進方向へ押圧する。
【００３３】
スライドピース２２は隙間Ｚへ向かって前進していき、押圧部２６が、可撓部２５により自在に揺動しつつ、隙間Ｚに次第に深く進入していく。押圧部２６は、楔作用で、突起部２１に対し中蓋５を押圧し、この押圧作用で中蓋５を中皿４に係合している係合手段１７が離脱する。すなわち、蓋体３の開放操作過程で、係合手段２７が離脱し、レフィル容器６の気密状態を保持していた中蓋５の開放操作が可能となる。蓋体３を、例えば鏡１４を使用し得る程度にまで開放すれば、その時点では、中蓋５を開いて中皿４内の化粧料を使用して、化粧操作をすることができる。
【００３４】
蓋体３を開いてカム部２７によりスライドピース２２を前進方向へ押圧し続けている状態では、板バネ部３０により、スライドピース２２とカム部２７との当接状態を保持し続けることができ、従ってスライドピース２２が容器本体２内部でがたついたり、そしてまたカタカタというような異音が発生することも防止することができる。
【００３５】
化粧操作等の後、容器本体２を閉止する際には、蓋体３が開かれていることで、スライドピース２２が前進位置にあり、従って押圧部２６が隙間Ｚに進入した状態であるため、このときには中蓋５で中皿４を単に覆った状態とする。
【００３６】
蓋体３を閉じていくと、カム部２７によるスライドピース２２の押圧に代えて、板バネ部３０によりスライドピース２２が後方へ弾発付勢され、スライドピース２２はカム部２７に当接した状態で次第に後退していく。この後退により、押圧部２６は隙間Ｚから抜け出し、中蓋５の突片１９を挿通孔１８に深く挿通させることが可能となる。
【００３７】
さらに蓋体３を閉じていき、係止手段１５で係止して蓋体３により容器本体２を閉止する際には、蓋体３の鏡１４が中蓋５の凸部２０に当接して中蓋５を中皿４へ向かって押圧することとなり、これにより係合手段１７が係合して、蓋体３の閉止操作とほぼ同時に、レフィル容器６も気密に閉止することができる。
【００３８】
以上説明した本実施形態に係るコンパクト容器１にあっては、第１収納部９を有し、ヒンジ用突起１１が形成された容器本体２と、ヒンジ用突起１１にヒンジピン１３を介して回転自在に連結されるヒンジブロック１２を有し、容器本体２を開閉すべく回動される蓋体３と、蓋体３と容器本体２との間に設けられ、これらを係脱自在に係止して蓋体３で容器本体２を閉止する係止手段１５と、化粧料を内部に収容する中皿４及び中皿４を開閉すべくこれに蝶番１６を介して連結された中蓋５を有し、中皿４が第１収納部９に取り外し可能に固定されて、容器本体２に着脱されるレフィル容器６と、中蓋５と中皿４との間に設けられ、これらを係脱自在に係合して中蓋５で中皿４を閉止する係合手段１７と、容器本体２に設けられ、中蓋５との間に隙間Ｚを形成する突起部２１と、容器本体２内に隙間Ｚへ向かって進退自在に設けられたスライドピース２２と、容器本体２内部でスライドピース２２の移動を案内するために、容器本体２内に立ち上げて形成されてスライドピース２２の一側面が摺接する第１ガイド片２３及び容器本体２内に垂下して一対形成されてスライドピース２２の左右両側面が摺接する第２ガイド片２４と、スライドピース２２に形成された撓み変形可能な可撓部２５と、スライドピース２２に可撓部２５を介して、中蓋５が位置する上方へ向かって揺動自在に連結され、スライドピース２２の前進により楔作用で隙間Ｚへ進入し、可撓部２５により突起部２１で上方へ向かって向きを変えるように揺動されて中蓋５を押圧し押し上げて、係合手段１７を離脱する押圧部２６と、ヒンジブロック１２に形成され、蓋体３の開放操作で回転されて、スライドピース２２を前進方向へ押圧するカム部２７
と、カム部２７に面して容器本体２を貫通して形成された貫通孔８にスライド自在に配置されるスライドピース２２が貫通孔２８から抜脱されるのを防止するために、容器本体２に形成されたストッパ２９と、容器本体２に一対で形成され、互いに向かい合う一対の壁片３１ａ，３１ｂで構成された反力受け部３１と、スライドピース２２に、その左右両側面それぞれから側方へ一対で、弾性変形可能に延出して一体的に形成され、それら延出端それぞれを一対の壁片３１ａ，３１ｂで挟んで反力受け部３１に支持されて、蓋体３の開放操作に伴うスライドピース２２の前進によって弾性変形されると共に、蓋体３の閉止操作過程でスライドピース２２を後退方向へ弾発付勢する板バネ部３０とを備えたので、蓋体３の開放操作過程では、楔作用による軽いタッチでレフィル容器６の係合手段１７を解除することができ、これにより蓋体３の円滑な開放操作性を確保することができると共に、蓋体３の閉止操作過程についても、背景技術のように摩擦を生じつつ乗り越える作用が必要な構造とは異なり、カム部２７とスライドピース２２後端の摩擦程度であって、これにより蓋体３のスムーズな閉止操作性を確保することができ、気密性が要求されるレフィル容器６の中皿４に対する中蓋５の係合を、蓋体３の開放操作を利用して解除するようにしたコンパクト容器を対象として、蓋体３を軽い操作感で円滑に開閉することができる。
【００３９】
また、カム部２７の押圧によるスライドピース２２の前進で係合手段１７を解除し、中蓋５を閉止するときには、押圧部２６を有するスライドピース２２は後退可能であるので、特許文献２及び３とは異なり、蓋体３を閉じていく際、押圧部２６を含むスライドピース２２と中蓋５とがこじれることはまったくなく、異音の発生を防止できると共に、耐久性を向上することができる。
【００４０】
一対の板バネ部３０でスライドピース２２を後進方向へ弾発付勢するようにしたので、蓋体３を開放操作する段階から、容器本体２を開いている状態、そしてまた蓋体３の閉止操作過程にわたって、スライドピース２２をカム部２７のプロフィールに従って確動することができ、スライドピース２２ががたついたり、異音が発生することを防止できると共に、この面からも蓋体３の開閉操作を円滑化することができる。
【００４１】
中蓋５に凸部２０を形成し、蓋体３の鏡１４でこれを押圧して係合手段１７を係合させるようにしたので、蓋体３を容器本体２に係止する閉止操作と別に、中蓋５を中皿４に係合操作することなく、係止手段１５の係止操作とほぼ同時に係合手段１７を係合させることが可能で、コンパクト容器１の操作性を向上することができる。
【００４２】
また、コイルバネを別部品として組み込む特許文献１と比較して、部品点数を削減できると共に、組み付け作業についても、コイルバネを縮めて押し込む構成とは異なり、板バネ部３０付きのスライドピース２２を反力受け部３１等へ嵌め入れるだけで良く、組み立て性が良好で、生産性を向上することができる。
【００４３】
また、突起部２１やスライドピース２２等の部品は、皿枠８で隠蔽して器体７内部に設けられるので、外観もシンプルで美観に優れる。
【００４４】
本実施形態では、押圧部２６を矢じり形状にして楔作用を得るようにしたが、突起部２１や突片１９の隙間Ｚに面する箇所に傾斜面を形成することで、楔作用を得るようにしてもよいことはもちろんである。
【符号の説明】
【００４５】
１  コンパクト容器
２  容器本体
３  蓋体
４  中皿
５  中蓋
６  レフィル容器
９  第１収納部
１１  ヒンジ用突起
１２  ヒンジブロック
１３  ヒンジピン
１５  係止手段
１６  蝶番
１７  係合手段
２１  突起部
２２  スライドピース
２５  可撓部
２６  押圧部
２７  カム部
３１  反力受け部
３０  板バネ部
Ｚ  隙間
【図１】
0005642431.tif 000002
【図２】
0005642431.tif 000003
【図３】
0005642431.tif 000004